(57)【特許請求の範囲】
【請求項１】
被検眼眼底に照明光を投影する照明系と、被検眼眼底像を撮影する撮影系を有する眼底カメラにおいて、前記照明系内の水晶体前面と略共役な位置にリング状の開口を持つ絞りを設け、また被検眼の水晶体後面と略共役な位置に中央部より周辺部の透過率が大なるフィルター部材を設け、前記絞りとフィルター部材を介して眼底を照明することを特徴とする眼底カメラ。
【請求項２】
前記照明系内の水晶体後面と略共役な位置にリング状の開口を持つ絞りを設け、この絞りに前記フィルター部材を貼り付けることを特徴とする請求項１に記載の眼底カメラ。
【発明の詳細な説明】
【０００１】
【発明の属する技術分野】
本発明は、眼底カメラ、更に詳細には、被検眼眼底に照明光を投影する照明系と、被検眼眼底像を撮影する撮影系を有する眼底カメラに関する。
【０００２】
【従来の技術】
従来の眼底カメラでは、照明系と撮影系の開口効率の関係から、撮影される眼底像は中心部に対して周辺部の像が暗くなって、被検眼の撮影対象部分全域で明るさが均一でなくなり、いわゆる照明ムラの現象が発生する、という問題がある。それを解決する手段として、眼底と略共役な位置に、中央部よりも周辺部の透過率が大なるフィルター部材を設けて、眼底中央部に照射される光量と周辺部に照射される光量に意図的に差を付けて、撮影画像の照明ムラを補正しようとする提案がなされている（特開昭６２−３８１３３号公報）。
【０００３】
【発明が解決しようとする課題】
しかしこの方法では、眼底と略共役な位置にフィルターを配置するので、フィルターに付着するゴミや蒸着ムラが眼底撮影画像に大きな影響を与えてしまい、撮影画質が低下してしまう、という問題があった。したがって、フィルターの防塵対策や蒸着に対して厳しい精度が要求され、コストアップの要因となる。また透過率を中央部と周辺部で異ならせる場合、なだらかに透過率を変化させることはできないので、眼底面において照明光量差が大きく変化する境界線が生まれてしまう危険性があり、同様に撮影画質を低下させる要因になっている。
【０００４】
本発明は、このような問題点を解決するためになされたもので、明るさの均一な眼底像を得ることができる眼底カメラを提供することをその課題とする。
【０００５】
【課題を解決するための手段】
本発明は、上記課題を解決するために、被検眼眼底に照明光を投影する照明系と、被検眼眼底像を撮影する撮影系を有する眼底カメラにおいて、前記照明系内の水晶体前面と略共役な位置にリング状の開口を持つ絞りを設け、また被検眼の水晶体後面と略共役な位置に中央部より周辺部の透過率が大なるフィルター部材を設け、前記絞りとフィルター部材を介して眼底を照明する構成を採用している。
【０００７】
本発明では、照射光量を、周辺部は明るく中心部へ行くに従ってなだらかに暗くなるように低下させることができるので、従来のように眼底像が中心部に対して周辺部の像が暗くなってしまう現象を補償することができ、均一な明るさの眼底画像を得ることができる。
【０００８】
【発明の実施の形態】
以下、図面に示す実施の形態に基づいて本発明を詳細に説明する。
【０００９】
図１は、本発明の一実施形態になる眼底カメラの光学系を示す。同図において、符号１で示すものは照明系で、観察光源２からの光束はコンデンサレンズ３で集光され、更にコンデンサレンズ４、全反射ミラー６、リレーレンズ７を通過して孔あきミラー８で反射され、対物レンズ９を介して被検眼１０の眼底１０ａに投影され、眼底が観察光源で照明される。眼底１０ａからの光は対物レンズ９、孔あきミラー８の中心部を通過して、撮影系１１に配置された合焦レンズ１２、結像レンズ１３、リターンミラー１４を介して観察光学系１５に導かれ、検者により眼底が観察できるようになっている。また、眼底を撮影する場合は、撮影光源１６が点灯され、リターンミラー１４が光路から離脱されて、眼底画像がフィルム１７に撮影できるようになっている。
【００１０】
照明系１内には、図２、図３に更に詳細に図示したように、リング状の開口を持つ絞り５ａ、５ｂ、５ｃからなる絞り群５が配置されており、絞り５ａは被検眼１０の角膜表面１０ｂと略共役な位置に、絞り５ｂは被検眼の水晶体１０ｃの前面と略共役な位置に、また絞り５ｃは水晶体１０ｃの後面と略共役な位置にそれぞれ配置されている。また、絞り５ｃには、中央部より周辺部の透過率が大なるフィルター部材５ｄが蒸着などにより貼り付けられており、リング状開口の中心寄りの部分約半分を覆っている。なお、絞り５ａ、５ｂ、５ｃは、反射光が混入してフレアーを生ずるのを避ける機能を有するものである。
【００１１】
ここで、フィルター部材５ｄの中央部に７０％の透過率を有するＮＤフィルターを使用したとする。このような構成で、観察光源２を点灯して眼底を照射したときの光束が図２に示されている。同図から理解できるように、眼底の中心部を照射する光束Ａは、絞り５ｂの開口部を通過して絞り５ｃの開口部の光軸よりの約半分の部分を通過して眼底に投光される。このとき、絞り５ｃには、リング状開口の中心寄りの部分約半分を覆って７０％の透過率を有するＮＤフィルター５ｄが配置されているので、眼底の照射光量は３０％減となる。
【００１２】
一方、眼底の周辺部を照射する光束ＣはＮＤフィルター５ｄで減光されることはないので、光量低下は起きない。また、中心部と周辺部の中間を照射する光束Ｂは光束の一部がＮＤフィルター５ｄを通過するのでその通過した割合に応じて光量低下が発生する。例えば、光束の半分が透過したならば、１５％の光量低下となる。
【００１３】
このように、各絞り並びにフィルターを通過したときの照射光量の変化する状態が図４に図示されており、中心並びに最外周のｘの部分は絞り５ａ、５ｂ、５ｃにより光束が遮断される部分で、ｚの部分はＮＤフィルター５ｄにより照射光量が３０％減となる部分で、ｙの部分は１５％の光量低下となる部分であり、ｗの部分は絞り並びにフィルターで減光がなく完全に光束が透過する部分である。
【００１４】
このように、照射光量を、周辺部は明るく中心部へ行くに従ってなだらかに暗くなるように低下させることができるので、この照射光量で眼底を照射すると、従来のように眼底像が中心部に対して周辺部の像が暗くなってしまう現象を補償することができ、均一な明るさの眼底画像を得ることができる。また、眼底と共役位置に光学部品を配置する必要もないので、この光学部品に付着するゴミなどによって発生する眼底画像の劣化も防止できる。
【００１５】
上述した実施形態では、フィルター部材５ｄが水晶体後面と略共役な位置に配置された絞り５ｃに貼り付けられたが、図５に示したように、角膜表面と略共役な位置に配置された絞り５ａに周辺部より中央部の透過率が大なるフィルター部材５ｄ’を同様に蒸着などにより貼り付けるようにしても同様な効果を得ることができる。
【００１６】
【発明の効果】
以上説明したように、本発明では、眼底に結像される中央部の単位面積当たりの照明光光量よりも周辺部の単位面積当たりの光量が相対的に大きくなるので、周辺部の眼底像が暗くなってしまう現象を補償することができ、均一な明るさの眼底画像を得ることができる。また、眼底と共役位置に光学部品を配置する必要もないので、眼底画像の画質が劣化するのを防止することもできる。
【図面の簡単な説明】
【図１】本発明の眼底カメラの光学系の構成を示す光学図である。
【図２】被検眼の前眼部における光束通過状態を示した光学図である。
【図３】水晶体後面と略共役な位置にフィルター部材を配置したときの絞り群の配置図である。
【図４】  光束が絞り並びにフィルター部材を通過したときの透過光の説明図である。
【図５】角膜表面と略共役な位置にフィルター部材を配置したときの絞り群の配置図である。
【符号の説明】
１  照明系
５  絞り群
５ａ  角膜表面と略共役な位置に配置されたリング状開口絞り
５ｂ  水晶体前面と略共役な位置に配置されたリング状開口絞り
５ｃ  水晶体後面と略共役な位置に配置されたリング状開口絞り
５ｄ、５ｄ’  フィルター部材
１１  撮影系
【図１】
0004276749.tif 000002
【図２】
0004276749.tif 000003
【図３】
0004276749.tif 000004
【図４】
0004276749.tif 000005
【図５】
0004276749.tif 000006